(57)【要約】【課題】  衣類掛けハンガーにおいて、ハンガー本体に掛けた衣類をしっかりとハンガー本体に保持して、衣類が、ずり落ちたり、型崩れをおこしたりすることを防止する。【解決手段】  ハンガー本体２は、ハンガー本体２の本体頂部２ａから両側に延び、衣類７の肩部を掛ける肩掛け部２ｄを備え、この肩掛け部２ｄの上辺部には、左右一対の衣類７を保持可能な外向きのクリップ３が設けられ、このクリップ３は、衣類７を保持する保持姿勢と、衣類７をクリップ３に対して脱着する解放姿勢との間で、姿勢変更可能に構成されている。【選択図】      図１
2006296735.tif 000002
【特許請求の範囲】
【請求項１】
衣類を掛けるハンガー本体と、このハンガー本体の頂部に連結されたフック部とを備えた衣類掛けハンガーであって、
上記ハンガー本体は、ハンガー本体の頂部から両側に延び、衣類の肩部を掛ける肩掛け部を備え、
この肩掛け部の上辺部には、左右一対の衣類を保持可能な外向きのクリップが設けられ、
このクリップは、衣類を保持する保持姿勢と、衣類をクリップに対して脱着する解放姿勢との間で、姿勢変更可能であることを特徴とする衣類掛けハンガー。
【請求項２】
上記クリップは、衣類を保持する保持姿勢にクリップを付勢する付勢手段を備え、
この付勢手段の付勢力に抗してクリップを解放姿勢にすることにより衣類をクリップに対して脱着するものであることを特徴とする請求項１記載の衣類掛けハンガー。
【請求項３】
上記肩掛け部の長手方向にクリップの位置を変更する位置変更手段を有していることを特徴とする請求項１もしくは請求項２のいずれかに記載の衣類掛けハンガー。
【請求項４】
上記肩掛け部は、肩掛け部の長手方向に概ね断面一様なスライド部を有し、
上記クリップは、このスライド部にスライド自在に係止される係止部を有し、
上記位置変更手段は、このクリップの係止部を肩掛け部のスライド部に沿ってスライドさせてクリップの位置を肩掛け部の長手方向に変更するものであることを特徴とする請求項３に記載の衣類掛けハンガー。
【請求項５】
上記クリップの係止部は、肩掛け部のスライド部をスライド自在に挿通させる鞘状もしくは筒状に形成されていることを特徴とする請求項４に記載の衣類掛けハンガー。
【請求項６】
上記クリップに対して設けられ、クリップの位置変更を一定の範囲に規制するストッパーを備えていることを特徴とする請求項３ないし請求項５のいずれかに記載の衣類掛けハンガー。
【請求項７】
上記クリップは、衣類の首周りの縁部を保持するものであることを特徴とする請求項１ないし請求項６のいずれかに記載の衣類掛けハンガー。
【発明の詳細な説明】
【技術分野】
【０００１】
本発明は、衣類を掛ける衣類掛けハンガーに関するものである。
【背景技術】
【０００２】
衣類掛けハンガーは、一般に、衣類を掛けるハンガー本体と、このハンガー本体の頂部に連結されたフック部とを備え、ハンガー本体は、衣類の肩部を掛ける傾斜した肩掛け部を備えている。
【０００３】
例えば、特許文献１には、ハンガー本体の頂部から両側に延び、衣類の肩部を掛ける傾斜した棒状の肩掛け部を有する衣類用ハンガーの技術が開示されている。
【特許文献１】特開２００３−３３４３９９号公報
【発明の開示】
【発明が解決しようとする課題】
【０００４】
しかしながら、上述の衣類用ハンガーでは、例えば首周りの広い衣類や、首周りが伸びやすい衣類などを掛けようとすると、肩掛け部に掛けた衣類が、しっかりと肩掛け部に保持されず、ずり落ちたりする問題があった。また、衣類の首周りが伸びて衣類が型崩れをおこしたりするという問題があった。
【０００５】
本発明は上記不具合に鑑みてなされたものであり、例えば首周りの広い衣類や、首周りが伸びやすい衣類などを掛けても、ハンガー本体に掛けた衣類をしっかりとハンガー本体に保持して、衣類が、ずり落ちたり、型崩れをおこしたりすることを防止することができる衣類掛けハンガーを提供することを課題としている。
【課題を解決するための手段】
【０００６】
上記課題を解決するための本発明は、衣類を掛けるハンガー本体と、このハンガー本体の頂部に連結されたフック部とを備えた衣類掛けハンガーであって、上記ハンガー本体は、ハンガー本体の頂部から両側に延び、衣類の肩部を掛ける肩掛け部を備え、この肩掛け部の上辺部には、左右一対の衣類を保持可能な外向きのクリップが設けられ、このクリップは、衣類を保持する保持姿勢と、衣類をクリップに対して脱着する解放姿勢との間で、姿勢変更可能であることを特徴とする衣類掛けハンガーである。
【０００７】
本発明によれば、ハンガー本体の肩掛け部の上辺部に設けられた左右一対の外向きのクリップが、衣類を保持したり、衣類を脱着したりすることができるので、肩掛け部に掛けた衣類を、しっかりとハンガー本体に保持し、ずり落ちたり、衣類が型崩れをおこしたりすることを防止することができるようになる。また、簡単に衣類を肩掛け部から取り外すことができるようになる。
【０００８】
ここで、上記クリップは、衣類を保持する保持姿勢にクリップを付勢する付勢手段を備え、この付勢手段の付勢力に抗してクリップを解放姿勢にすることにより衣類をクリップに対して脱着するものであることが好ましい。
【０００９】
このようにすれば、クリップの付勢手段により、衣類を保持し続けることができるようになる。また、付勢手段の付勢力に抗してクリップを解放姿勢にすることにより衣類をハンガー本体から外したり、受け入れたりすることが容易になる。
【００１０】
また、上記衣類掛けハンガーは、上記肩掛け部の長手方向にクリップの位置を変更する位置変更手段を有していることが好ましい。
【００１１】
このようにすれば、肩掛け部においてクリップが衣類を保持する位置を変更することができるので、衣類の種類、大きさに対応して、肩掛け部の適正な位置で衣類を保持することができる結果、肩掛け部に掛けた衣類がずり落ちたり、衣類が型崩れをおこしたりすることをより良く防止することができるようになる。
【００１２】
また、上記肩掛け部は、肩掛け部の長手方向に概ね断面一様なスライド部を有し、上記クリップは、このスライド部にスライド自在に係止される係止部を有し、上記位置変更手段は、このクリップの係止部を肩掛け部のスライド部に沿ってスライドさせてクリップの位置を肩掛け部の長手方向に変更するものであることが好ましい。
【００１３】
このようにすれば、肩掛け部のスライド部に沿って長手方向にクリップの係止部をスライドさせるだけでクリップの位置を変更することができるので、位置変更手段のための過剰な部材を必要とせず、簡単で安価な構造とすることができるようになる。
【００１４】
また、上記クリップの係止部は、肩掛け部のスライド部をスライド自在に挿通させる鞘状もしくは筒状に形成されていることが好ましい。
【００１５】
このようにすれば、鞘状もしくは筒状の係止部に肩掛け部のスライド部がスライド自在に挿通されるので、容易にクリップの位置を変更することができるようになる。また、クリップが肩掛け部のスライド部から容易には外れることがない。
【００１６】
また、上記クリップに対して設けられ、クリップの位置変更を一定の範囲に規制するストッパーを備えていることが好ましい。
【００１７】
このようにすれば、ストッパーが、クリップの位置変更を一定の範囲に規制するので、クリップがハンガー本体から逸脱することがない。
【００１８】
また、上記クリップは、衣類の首周りの縁部を保持するものであることが好ましい。
【００１９】
このようにすれば、クリップが、衣類の首周りの縁部を保持するものであるので、衣類の首周りが伸びることを防止することができる。また、特に、首周りが広い衣類の場合などは、首周りが伸びて衣類がハンガー本体からずり落ちてしまうことを防止することができる。
【発明の効果】
【００２０】
以上説明したように、本発明によれば、クリップによりハンガー本体の肩掛け部に掛けた衣類をしっかりと肩掛け部に保持することができるので、ずり落ちたり、衣類が型崩れをおこしたりすることを防止することができるという顕著な効果を奏する。
【発明を実施するための最良の形態】
【００２１】
以下、添付図面を参照しながら本発明の好ましい実施の一形態について詳述する。図１は、本発明の実施の形態に係る衣類掛けハンガー１０の構成を示す正面図であり、図２は、図１の上面図である。
【００２２】
図１と図２とを参照して、図示の本発明の実施の形態に係る衣類掛けハンガー１０は、衣類７（図７）を掛けるハンガー本体２と、このハンガー本体２の本体頂部２ａに連結されたフック部１とを備えている。
【００２３】
上記フック部１は、ハンガー本体２の本体頂部２ａに連結される湾曲した合成樹脂製の部材であり、衣類掛けハンガー１０をハンドリングしたり、物干し竿などに懸架するために用いられる部分である。このフック部１は、フック部下端１ａに、ハンガー本体２の本体頂部２ａに設けられたフック部保持孔２ｂの内側に設けられた段差部２ｃに係脱するための抜け止め突起１ｂと切り込み１ｃとを有し、ハンガー本体２に対して回動自在となっている。
【００２４】
切り込み１ｃは、抜け止め突起１ｂをフック部保持孔２ｂの段差部２ｃに弾力的に係脱するために、抜け止め突起１ｂ近傍に設けられた空隙であり、フック部下端１ａを形成する材料がこの切り込み１ｃの空隙の方向へ変形する際に発生する弾性力により、フック部下端１ａの抜け止め突起１ｂとフック部保持孔２ｂの段差部２ｃとを、弾性的に嵌合させている。
【００２５】
そのため、衣類７の重量程度の外力ではフック部１からハンガー本体２が抜け落ちないようになっている。また、所定値以上の外力が抜け止め突起１ｂに働くことにより、抜け止め突起１ｂが、フック部保持孔２ｂの段差部２ｃに対して弾性的に係脱することができるようになっている。
【００２６】
ここで、所定値の外力とは、衣類７を掛けた状態における通常の取り扱いで抜け止め突起１ｂに働く外力よりも大きく、フック部下端１ａをフック部保持孔２ｂから取り外す必要がある時に人の手で容易に引き抜ける程度の大きさの外力を意味する。
【００２７】
上記ハンガー本体２は、フック部１の下部に連結され、衣類７を掛ける部材であり合成樹脂製の棒状の部材を偏平なループ状に形成したもので構成されている。
【００２８】
このハンガー本体２の上部には、ハンガー本体２の本体頂部２ａから両側に延び、衣類７の肩部を掛ける肩掛け部２ｄが設けられており、この肩掛け部２ｄの上辺部には、左右一対の衣類７を保持可能な外向きのクリップ３が設けられている。
【００２９】
ここで、図３は、衣類掛けハンガー１０のクリップ３の構成を示す正面図であり、図４は、図３の平面図である。また、図５は、図３の側面図である。
【００３０】
上記クリップ３は、図３〜図５に示すように、滑り止めが下面に施された舌状のクリップ端３ａで衣類７の首周り７ａ（図７）の縁部を保持する合成樹脂製の成形一体品であり、クリップ３の後端に設けられ、滑り止めが上面に施された舌状の操作端３ｂを押圧して操作することにより、クリップ端３ａを動作させ、衣類７を保持する保持姿勢（図１）と、衣類７をクリップ３に対して脱着する解放姿勢（図６）との間で、姿勢変更可能に構成されている。なお、このクリップ３の基部３ｃは、弾性的に撓み、衣類７を保持する保持姿勢にクリップ３を付勢する付勢手段４を構成しており、この基部３ｃの撓みによって得られる付勢力に抗してクリップ３を解放姿勢にすることにより衣類７をクリップ３に対して脱着することができるように構成されている。
【００３１】
また、図１に示すように、この衣類掛けハンガー１０には、肩掛け部２ｄの長手方向にクリップ３の位置を変更する位置変更手段５が設けられている。
【００３２】
すなわち、前述の肩掛け部２ｄには、概ね全体にわたって肩掛け部２ｄの長手方向に概ね断面一様なスライド部２ｅが形成されている。また、クリップ３は、肩掛け部２ｄのスライド部２ｅをスライド自在に挿通させることによりスライド自在に係止される鞘状もしくは筒状に形成された係止部３ｄを有している。
【００３３】
そして、位置変更手段５は、クリップ３の係止部３ｄを肩掛け部２ｄのスライド部２ｅに沿ってスライドさせることにより、クリップ３の位置を肩掛け部２ｄの長手方向に変更することができるように構成される。
【００３４】
また、この衣類掛けハンガー１０は、クリップ３のクリップ端３ａと係止部３ｄとに対して、それぞれ突起状のストッパー６ａ、６ｂを備えており、肩掛け部２ｄにおけるクリップ３の位置変更を、ハンガー本体２の本体頂部２ａとストッパー６ａ、６ｂとの間の一定の範囲に規制している。
【００３５】
さらに、この衣類掛けハンガー１０は、ハンガー本体２の下部分２ｆに、この下部分２ｆに掛ける衣類を中央寄りに規制して衣類掛けハンガー１０が左右どちらかに偏ることを防止するための仕切り突起２ｇを有している。
【００３６】
次に図６と図７とを参照して、本発明の実施の形態に係る衣類掛けハンガー１０の作用について説明する。
【００３７】
図６は、衣類７をクリップ３に対して脱着する解放姿勢を示す説明図である。また、図７は、クリップ３が衣類７の首周り７ａの縁部を保持する状態を示す説明図である。
【００３８】
本発明の実施の形態に係る衣類掛けハンガー１０は、位置変更手段５により肩掛け部２ｄの長手方向においてクリップ３の位置が変更される。
【００３９】
すなわち、クリップ３の係止部３ｄが、肩掛け部２ｄのスライド部２ｅにスライド自在に係止され、ハンガー本体２の本体頂部２ａとストッパー６ａ、６ｂとの間の一定の範囲の適正な位置で、クリップ３の位置が、衣類７の種類、大きさに対応して変更される。
【００４０】
次に、この適正な位置で、基部３ｃ（付勢手段４）の撓みによって得られる付勢力に抗して、舌状の操作端３ｂが押圧されて操作されることにより、図６に示すように、舌状のクリップ端３ａが上方に変位し、クリップ３が、衣類７を脱着可能な解放姿勢になる。
【００４１】
そして、衣類７がクリップ３に挿入されて操作端３ｂが解放されると、基部３ｃの撓みによって得られる付勢力により、図１に示すように、衣類７が保持される保持姿勢になる。
【００４２】
このようにして、図７に示すように、クリップ３が、舌状のクリップ端３ａで衣類７の首周り７ａの縁部を保持する。
【００４３】
以上説明したように、本発明の実施の形態に係る衣類掛けハンガー１０によれば、ハンガー本体２の肩掛け部２ｄの上辺部に設けられた左右一対の外向きのクリップ３が、衣類７を保持したり、衣類７を脱着したりすることができるので、ハンガー本体２に掛けた衣類７を、クリップ３が保持することにより、しっかりとハンガー本体２に保持し、ずり落ちたり、衣類７が型崩れをおこしたりすることを防止することができる。
【００４４】
また、クリップ３の付勢手段４により、衣類７を保持し続けることができるようになる。また、付勢手段４の付勢力に抗してクリップ３を解放姿勢にすることにより衣類７をハンガー本体２から外したり、受け入れたりすることが容易になる。
【００４５】
また、クリップ３が衣類７を保持する位置を変更することができるので、衣類７の種類、大きさに対応して、適正な位置で衣類７を保持することができる結果、ハンガー本体２に掛けた衣類７がずり落ちたり、衣類７が型崩れをおこしたりすることをより良く防止することができるようになる。
【００４６】
また、肩掛け部２ｄのスライド部２ｅに沿って長手方向にクリップ３の係止部３ｄをスライドさせるだけでクリップ３の位置を変更することができるので、位置変更手段５のための余分な部材を必要とせず、簡単で安価な構造とすることができるようになる。
【００４７】
さらに、クリップ３の係止部３ｄが鞘状もしくは筒状に形成され、この筒状の係止部３ｄに肩掛け部２ｄのスライド部２ｅがスライド自在に挿通されるので、クリップ３が肩掛け部２ｄのスライド部２ｅから容易には外れることがない。
【００４８】
そして、ストッパー６ａ、６ｂが、クリップ３の位置変更を一定の範囲に規制するので、クリップ３がハンガー本体２から逸脱することがない。
【００４９】
また、クリップ３が、衣類７の首周り７ａの縁部を保持するものであるので、衣類７の首周り７ａが伸びることを防止することができる。また、特に、首周り７ａが広い衣類７の場合などは、首周り７ａが伸びて衣類７がハンガー本体２からずり落ちてしまうことを防止することができる。
【００５０】
上述した実施の形態は本発明の好ましい具体例を例示したものに過ぎず、本発明は上述した実施の形態に限定されない。
【００５１】
例えば、フック部１、ハンガー本体２、クリップ３など、各部を構成する材料は、必ずしも合成樹脂に限定されない。木材、金属、その他の材料が採用可能である。
【００５２】
また、フック部１とハンガー本体２とは、必ずしも図示の形状のように別の部材である必要はなく、一体に成形されるものでもよい。
【００５３】
また、ハンガー本体２は、必ずしも棒状の部材を偏平なループ状に形成したものに限定されず、単にハンガー本体２の本体頂部２ａから両側に延びる棒状の部材で構成されてもよい。
【００５４】
クリップ３は、必ずしも衣類７の首周り７ａの縁部を保持するものに限定されない。例えば、衣類７の袖部を保持するものでもよいなど、衣類７のどのような部分でも保持することが可能である。
【００５５】
また、クリップ３の構成も必ずしも図示のようなクリップ端３ａ、操作端３ｂ、基部３ｃから構成される形状に限定されない。衣類７を保持する保持姿勢と衣類７を脱着する解放姿勢との間で姿勢変更可能なものであれば、広く採用されている各種のクリップが採用可能である。
【００５６】
付勢手段４も、必ずしもクリップ３の基部３ｃの撓みによって付勢力を得るものに限定されない。衣類７を保持する保持姿勢にクリップ３を付勢するものであれば、板バネやコイルバネなどその他の種々の付勢手段４が採用可能である。
【００５７】
位置変更手段５も、鞘状もしくは筒状に形成された係止部３ｄを肩掛け部２ｄの棒状のスライド部２ｅに沿ってスライドさせることにより、クリップ３の位置を肩掛け部２ｄの長手方向に変更するように構成されたものに限定されない。例えば、肩掛け部２ｄの溝状のスライド部２ｅに沿ってクリップ３の係止部３ｄをスライドさせるように構成されたものなども採用可能である。
【００５８】
その他、本発明の特許請求の範囲内で種々の設計変更が可能であることはいうまでもない。
【図面の簡単な説明】
【００５９】
【図１】本発明の実施の形態に係る衣類掛けハンガーの構成を示す正面図である。
【図２】図１の上面図である。
【図３】衣類掛けハンガーのクリップの構成を示す正面図である。
【図４】図３の平面図である。
【図５】図３の側面図である。
【図６】衣類をクリップに対して脱着する解放姿勢を示す説明図である。
【図７】クリップが衣類の首周りの縁部を保持する状態を示す説明図である。
【符号の説明】
【００６０】
１      フック部
２      ハンガー本体
２ａ    ハンガー本体の本体頂部
２ｃ    肩掛け部
２ｄ    スライド部
３      クリップ
３ｄ    係止部
４      付勢手段
５      位置変更手段
６ａ、６ｂ  ストッパー
７      衣類
７ａ    衣類の首周り
１０    衣類掛けハンガー
【図１】
2006296735.tif 000003
【図２】
2006296735.tif 000004
【図３】
2006296735.tif 000005
【図４】
2006296735.tif 000006
【図５】
2006296735.tif 000007
【図６】
2006296735.tif 000008
【図７】
2006296735.tif 000009